(57)【要約】【課題】 お気に入りチャンネルテーブルに登録されているチャンネルにおける番組の放送停止時に、ユーザを混乱させることがなく、ユーザの使い勝手を向上させた受信装置を提供する。 【解決手段】  受信装置１は、お気に入りチャンネル９ｂに登録されている各チャンネルに対して、定期的に番組の放送が行われているかどうかを検知し、番組の放送が行われていないチャンネルが登録されていれば、このチャンネルを番組の放送が行われているチャンネルに変更する。【選択図】  図１
2006352776.tif 000002
【特許請求の範囲】
【請求項１】
登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルを、この時点で番組の放送が行われていることが前記検知手段により検知されているチャンネルに変更する登録チャンネル変更手段と、
前記チャンネルテーブルに登録されているチャンネル毎に、前記登録チャンネル変更手段が変更したチャンネルであるかどうかを示す変更フラグを対応付けて登録するフラグ登録手段と、
前記選局受付手段が受け付けたチャンネルが、前記登録チャンネル変更手段が変更したチャンネルであったとき、今回選局されたチャンネルが前記変更手段により変更されたチャンネルであることを示す旨のメッセージを出力するメッセージ出力手段と、を備え、
前記登録チャンネル変更手段は、前記チャンネルテーブルに登録されているチャンネルで、番組の放送が行われていないことが前記検知手段により検知されたチャンネルと、同じ仮想チャンネルで放送されているチャンネルで、且つこの時点で番組の放送が行われていることが前記検知手段により検知されているチャンネルに変更する手段である受信装置。
【請求項２】
登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルを、この時点で番組の放送が行われていることが前記検知手段により検知されているチャンネルに変更する登録チャンネル変更手段と、を備えた受信装置。
【請求項３】
前記登録チャンネル変更手段は、前記チャンネルテーブルに登録されているチャンネルで、番組の放送が行われていないことが前記検知手段により検知されたチャンネルと、同じ物理チャンネルで放送されているチャンネルで、且つこの時点で番組の放送が行われていることが前記検知手段により検知されているチャンネルに変更する手段である請求項２に記載の受信装置。
【請求項４】
前記登録チャンネル変更手段は、前記チャンネルテーブルに登録されているチャンネルで、番組の放送が行われていないことが前記検知手段により検知されたチャンネルと、同じ仮想チャンネルで放送されているチャンネルで、且つこの時点で番組の放送が行われていることが前記検知手段により検知されているチャンネルに変更する手段である請求項２に記載の受信装置。
【請求項５】
前記チャンネルテーブルに登録されているチャンネル毎に、前記登録チャンネル変更手段が変更したチャンネルであるかどうかを示す変更フラグを対応付けて登録するフラグ登録手段と、
前記選局受付手段が受け付けたチャンネルが、前記登録チャンネル変更手段が変更したチャンネルであったとき、今回選局されたチャンネルが前記変更手段により変更されたチャンネルであることを示す旨のメッセージを出力するメッセージ出力手段と、を備えた請求項２〜４のいずれかに記載の受信装置。
【発明の詳細な説明】
【技術分野】
【０００１】
この発明は、選局されているチャンネルで放送されているディジタル放送の番組を受信する受信装置に関する。
【背景技術】
【０００２】
従来、ディジタル放送の番組を受信する受信装置が一般に普及している。ディジタル放送は、公知のように、複数の番組のデータを多重化したストリームを放送することにより、１つの物理チャンネルで複数の番組を放送することができる。ここで言う物理チャンネルとは、番組の放送に使用している搬送波の周波数帯域に対応するチャンネル番号である。上述したように、ディジタル放送では、１つの物理チャンネルで複数の番組を放送することがあるので、番組毎に放送されているチャンネルを決める必要がある。すなわち、１つの物理チャンネルに複数のチャンネルが必要になる。このため、物理チャンネルに対して１または複数の仮想チャンネルを割り当てている。また、仮想チャンネルは、サブチャンネルを割り当てることで、番組を放送する複数のチャンネルとして使用することもできる。例えば、２つの仮想チャンネル番号「１０」、「１１」が割り当てられている物理チャンネルであれば、２つの番組を放送する場合、一方の番組を放送しているチャンネル番号を「１０」、他方の番組を放送しているチャンネル番号を「１１」とすることで、番組毎に放送されているチャンネルを決めることができる。また、１つの仮想チャンネル番号「２０」が割り当てられている物理チャンネルであれば、２つの番組を放送する場合、サブチャンネル番号「１」、「２」を利用し、一方の番組を放送しているチャンネル番号を「２０−１」、他方の番組を放送しているチャンネル番号を「２０−２」とすることで、番組毎に放送されているチャンネルを決めることができる。ユーザは、仮想チャンネル、または仮想チャンネル＋サブチャンネルで、視聴する番組が放送されているチャンネルを選局する。
【０００３】
また、ディジタル放送の受信装置では、適当なタイミングで、受信可能な物理チャンネル毎に番組が放送されているチャンネルであるかどうかを検知し、番組が放送されている物理チャンネルについては、その物理チャンネルで放送されている番組毎に、番組の放送に使用されている仮想チャンネル、または仮想チャンネル＋サブチャンネルを全チャンネルテーブルに登録するチャンネルサーチが行われている（例えば、特許文献１、２等参照）。受信装置は、ユーザによるチャンネルのアップ／ダウン操作が行われたときに、全チャンネルテーブルの登録内容に基づいてチャンネル（仮想チャンネル、または仮想チャンネル＋サブチャンネル）を切り換えることで、番組が放送されていないチャンネルを選局するのを防止している。
【０００４】
また、ディジタル放送では、物理チャンネルで放送されている番組の数が動的に変化している。このため、全チャンネルテーブルについては、定期的に更新する必要がある。全チャンネルテーブルが更新されないと、チャンネルサーチ後に、番組の放送が停止されたチャンネル（すなわち番組が放送されていないチャンネル）を選択したり、チャンネルサーチ後に、番組の放送が開始されたチャンネルが選局できないという事態が生じる。このため、装置本体の電源オン時等にチャンネルサーチを行って、全チャンネルテーブルを更新することが行われている。また、特許文献２に示されているように、指定された物理チャンネルについてのみ、番組の放送が行われているチャンネルを検知することも提案されている。
【０００５】
さらに、ディジタル放送では、上述したように、１つの物理チャンネルで複数の番組が放送できることから、放送されている番組の総数が多く、視聴する番組の選局にかかる操作が煩雑になるという問題があった。そこで、ユーザにおける視聴する番組の選局にかかる操作を簡単にする方法として、ユーザが自分の好みにあった番組が放送されているチャンネル（仮想チャンネル、または仮想チャンネル＋サブチャンネル）を登録するお気に入りチャンネルテーブルを設け、ユーザによるチャンネルのアップ／ダウン操作等が行われたときに、お気に入りチャンネルテーブルの登録内容に基づいてチャンネルを切り換えることが考えられている。
【特許文献１】特開２０００−２２４５５２号公報
【特許文献２】特開２００２−１０１３５３号公報
【発明の開示】
【発明が解決しようとする課題】
【０００６】
しかしながら、お気に入りチャンネルテーブルに登録されているチャンネルで番組が放送されていないことが検知されたときに、このチャンネルをお気に入りテーブルから削除する方式であれば、ユーザがお気に入りチャンネルテーブルに登録したチャンネルが、ユーザの知らない間にお気に入りチャンネルテーブルから削除されることになる。その結果、ユーザがお気に入りチャンネルテーブルの登録内容を確認したときに、自分が登録したチャンネルがお気に入りチャンネルテーブルに登録されておらず、受信装置本体が故障しているのではないかと不安をいだき、混乱するという問題がある。また、お気に入りチャンネルテーブルから削除されたチャンネルでの番組の放送停止が一時的なものであった場合、ユーザは削除されたチャンネルを再度お気に入りチャンネルテーブルに登録する操作を、最初から行わなければならず、ユーザの負担を増加させ、操作性がよくないという問題がある。
【０００７】
なお、お気に入りチャンネルテーブルに登録されているチャンネルで番組が放送されていないことが検知されても、このチャンネルをお気に入りチャンネルテーブルから削除しないで放置する方式であれば、ユーザがこのチャンネルを選局したときに、映像や音声が出力されない。その結果、ユーザがお気に入りチャンネルテーブルに対するチャンネルの登録操作を誤ったのではないかと誤解し、混乱するという問題がある。
【０００８】
この発明の目的は、ユーザが自分の好みに応じて番組を放送しているチャンネルを登録するお気に入りチャンネルテーブルを利用して、ユーザのチャンネルの選局にかかる操作性を向上させるとともに、お気に入りチャンネルテーブルに登録されているチャンネルにおける番組の放送停止時に、ユーザを混乱させることがなく、ユーザの使い勝手を向上させた受信装置を提供することにある。
【課題を解決するための手段】
【０００９】
この発明の受信装置は、上記課題を解決するために以下の構成を備えている。
【００１０】
（１）登録が指定されたチャンネルをチャンネルテーブルに登録する登録手段と、
前記チャンネルテーブルに登録されているチャンネルについてのみ、選局を受け付ける選局受付手段と、
前記選局受付手段が受け付けたチャンネルのディジタル放送信号を受信する受信手段と、を備えた受信装置において、
チャンネル毎に番組の放送が行われているかどうかを検知する検知手段と、
前記チャンネルテーブルに登録されているチャンネルで、番組の放送が行われていないことが前記検知手段により検知されたとき、前記チャンネルテーブルに登録されている該当するチャンネルを、この時点で番組の放送が行われていることが前記検知手段により検知されているチャンネルに変更する登録チャンネル変更手段と、を備えている。
【００１１】
この構成では、登録手段が、ユーザにより登録が指定されたチャンネルをチャンネルテーブル（お気に入りチャンネルテーブル）に登録する。また、選局受付手段がチャンネルテーブルに登録されているチャンネルについてのみ選局を受け付け、受信手段が選局受付手段が受け付けたチャンネルのディジタル放送信号を受信する。したがって、ユーザはチャンネルテーブルに登録したチャンネルの中から、視聴する番組が放送されているチャンネルを選曲することができ、ユーザにおける視聴するチャンネルの選局操作が煩雑になるのを防止できる。
【００１２】
また、検出手段が、チャンネルテーブルに登録されている、いずれかのチャンネルについて、番組の放送が行われていないことを検知すると、登録チャンネル変更手段が該当するチャンネルを別のチャンネルに変更する。このとき、登録チャンネル変更手段は、検知手段により、この時点で番組の放送が行われていることが検知されているチャンネルに変更する。
【００１３】
このように、ユーザがチャンネルテーブルに登録したチャンネルで番組が放送されていないことが検知された場合、このチャンネルを別のチャンネルに置き換えるようにしたので、ユーザがチャンネルテーブルの登録内容を確認したときに、登録されているチャンネルの総数が同じである。これにより、ユーザが混乱するのを抑えられる。また、チャンネルテーブルにおいて、変更されたチャンネルでの番組の放送停止が一時的なものであった場合、ユーザは変更前のチャンネルを再度チャンネルテーブルに登録するときに、その操作を最初から行わなくてもよい。すなわち、ユーザは、チャンネルテーブルに登録されているチャンネル（登録チャンネル変更手段により変更されたチャンネル）を、変更前のチャンネルに更新する操作を行えばよい。したがって、操作性の向上が図れる。
【００１４】
（２）前記登録チャンネル変更手段は、前記チャンネルテーブルに登録されているチャンネルで、番組の放送が行われていないことが前記検知手段により検知されたチャンネルと、同じ物理チャンネルで放送されているチャンネルで、且つこの時点で番組の放送が行われていることが前記検知手段により検知されているチャンネルに変更する手段である。
【００１５】
この構成では、登録チャンネル変更手段が同じ物理チャンネルの別のチャンネルに変更する。多くの場合、同じ物理チャンネルでは、同じ種別の番組が放送されている。すなわち、変更前のチャンネル（ユーザが登録したチャンネル）と、変更後のチャンネル（登録チャンネル変更手段が変更したチャンネル）とで、同じ種別の番組が放送されている可能性が高い。したがって、変更後のチャンネルで放送されている番組がユーザの好み合う可能性が高い。
【００１６】
（３）前記登録チャンネル変更手段は、前記チャンネルテーブルに登録されているチャンネルで、番組の放送が行われていないことが前記検知手段により検知されたチャンネルと、同じ仮想チャンネルで放送されているチャンネルで、且つこの時点で番組の放送が行われていることが前記検知手段により検知されているチャンネルに変更する手段である。
【００１７】
この構成では、登録チャンネル変更手段が同じ仮想チャンネルの別のチャンネルに変更する。多くの場合、同じ仮想チャンネルでは、同じ種別の番組が放送されている。すなわち、変更前のチャンネル（ユーザが登録したチャンネル）と、変更後のチャンネル（登録チャンネル変更手段が変更したチャンネル）とで、同じ種別の番組が放送されている可能性が高い。したがって、変更後のチャンネルで放送されている番組がユーザの好み合う可能性が高い。
【００１８】
（４）前記チャンネルテーブルに登録されているチャンネル毎に、前記登録チャンネル変更手段が変更したチャンネルであるかどうかを示す変更フラグを対応付けて登録するフラグ登録手段と、
前記選局受付手段が受け付けたチャンネルが、前記登録チャンネル変更手段が変更したチャンネルであったとき、今回選局されたチャンネルが前記変更手段により変更されたチャンネルであることを示す旨のメッセージを出力するメッセージ出力手段と、を備えている。
【００１９】
この構成では、登録チャンネル変更手段により変更されたチャンネルが選局されたときに、そのことがユーザに通知される。したがってユーザが、登録チャンネル変更手段により変更されたチャンネルを選局したときに混乱するのを確実に防止できる。
【発明の効果】
【００２０】
この発明によれば、チャンネルの選局にかかる操作性の向上が図れるとともに、チャンネルテーブルに登録されているチャンネルにおける番組の放送停止時に、ユーザを混乱させることがない。
【００２１】
また、チャンネルテーブルに登録されているチャンネルについて、番組の放送が行われていないことが検知されたときに、このチャンネルをチャンネルテーブルから削除するのではなく、別のチャンネルに変更する構成としたので、チャンネルテーブルにおいて、変更されたチャンネルでの番組の放送停止が一時的なものであった場合、ユーザは変更前のチャンネルを再度チャンネルテーブルに登録するときに、その操作を最初から行わなくてもよい。これにより、ユーザの使い勝手を向上させることができる。
【発明を実施するための最良の形態】
【００２２】
以下、この発明の実施形態である受信装置について説明する。
【００２３】
図１は、この発明の実施形態である受信装置の主要部の構成を示すブロック図である。この実施形態の受信装置１は、装置本体の動作を制御する制御部２と、ディジタル放送信号を受信し、選局されているチャンネル（仮想チャンネル、または仮想チャンネル＋サブチャンネルにより選局されているチャンネル）に対応する物理チャンネルのストリームを抽出する受信部３と、受信部３で抽出されたストリームから選局されているチャンネルの映像データおよび音声データを取り出し、デコードするデコード部４と、ＯＳＤ画像を生成するＯＳＤ画像生成部５と、ＯＳＤ画像生成部５で生成されたＯＳＤ画像を重ね合わせた合成画像を生成する画像合成部６と、映像信号および音声信号を出力する出力部７と、装置本体に対する入力操作を受け付ける操作部８と、後述する全チャンネルテーブル９ａ、およびお気に入りチャンネルテーブル９ｂを記憶する記憶部９と、を備えている。
【００２４】
ここで、ディジタル放送のチャンネル番号について簡単に説明しておく。ディジタル放送のチャンネル番号には、物理チャンネル、仮想チャンネル、およびサブチャンネルの３つの要素がある。物理チャンネルは、番組の放送に使用している搬送波の周波数帯域に対応するチャンネルである。ディジタル放送では、１つの物理チャンネルで複数の番組を放送することができる。そこで、１つの物理チャンネルで複数の番組が放送されている場合に、個々の番組が選局できるように、仮想チャンネル、およびサブチャンネルを利用している。仮想チャンネルは、物理チャンネルに対応づけられたチャンネル番号であり、１つの物理チャンネルに対して１または複数の仮想チャンネルを割り当てることができる。また、サブチャンネルは、１つの仮想チャンネルを複数のチャンネルとして使用する場合に、補助的に用いるチャンネルである。例えば、仮想チャンネル「１０」である場合、サブチャンネル「１」、「２」を使用することで、「１０−１」、「１０−２」という２つのチャンネルとして使用できる。
【００２５】
なお、仮想チャンネルを１つの番組を放送するチャンネルとして使用する場合には、この仮想チャンネルに対してサブチャンネルを使用しないこともある。サブチャンネルが使用されていない仮想チャンネルについては、仮想チャンネルにより選局が行われる。
【００２６】
受信部３は、仮想チャンネル、または仮想チャンネル＋サブチャンネルにより選局されているチャンネルに対応する物理チャンネルを受信し、この物理チャンネルで放送されている番組のストリームを抽出する。受信部３が受信し、抽出するストリームには、選局されている物理チャンネル（仮想チャンネル、または仮想チャンネル＋サブチャンネルにより選局されているチャンネルに対応する物理チャンネル）で放送されている全ての番組の映像データおよび音声データが多重化されている。受信部３には、図示していないがディジタル放送を受信するアンテナが接続されている。デコード部４は、受信部３で抽出されたストリームから、仮想チャンネル、または仮想チャンネル＋サブチャンネルにより選局されているチャンネルの番組の映像データ、および音声データを取り出すとともに、ここで取り出した映像データ、および音声データをデコードする。ＯＳＤ画像生成部５は、必要に応じて、選局されているチャンネル番号や、メニュー画面等のＯＳＤ画像を生成する。画像合成部６は、ＯＳＤ画像生成部５で生成されたＯＳＤ画像を、デコード部４でデコードされた映像データの映像に重ね合わせた合成画像を生成する。画像合成部６は、ＯＳＤ画像生成部５で重ね合わせるＯＳＤ画像が生成されていないとき、デコード４から入力された映像データを出力する。画像合成部６から出力された映像データは、出力部７に入力される。また、デコード部４でデコードされた音声データは、出力部７へ出力される。出力部７は、画像合成部６から入力された映像データに基づく映像信号を生成し、これを表示装置１１に入力する。表示装置１１では、出力部７から入力された映像信号に基づく映像、すなわち選局されているチャンネルで放送されている番組の映像、が表示される。また、出力部７はデコード部４から入力された音声データに基づく音声信号をスピーカ１２に入力する。スピーカ１２では、出力部７から入力された映音声号に基づく音声、すなわち選局されているチャンネルで放送されている番組の音声、が出力される。
【００２７】
なお、出力部７は、表示装置１１に入力する映像信号と、スピーカ１２に入力する音声信号の同期をとっている。
【００２８】
操作部８は、装置本体に対して入力操作を行う複数の操作キーや、図示していないリモコン装置から送信されてきた装置本体に対する制御コマンドを受信する受信部を有している。受信装置１は、操作キーが操作されたとき、またはリモコン装置から送信されてきた装置本体に対する制御コマンドを受信したときに、装置本体に対する入力があったと判定する。受信装置１の制御部２は、操作部８が受け付けた装置本体に対する入力に応じて、装置本体の動作を制御する。
【００２９】
記憶部９は、全チャンネルテーブル９ａおよびお気に入りチャンネルテーブル９ｂを記憶する。お気に入りチャンネルテーブル９ｂが、この発明で言うチャンネルテーブルに相当する。記憶部９は、不揮発性のメモリで構成されている。図２は、全チャンネルテーブルを示す図である。この全チャンネルテーブル９ａは、図２に示すように、登録されている物理チャンネル毎に仮想チャンネル、およびサブチャンネルを対応付けたテーブルである。全チャンネルテーブル９ａは、番組を放送している全ての物理チャンネルを登録するためのテーブルである。但し、番組を放送している物理チャンネルの変化をリアルタイムに検出することが困難であることから、全チャンネルテーブル９ａの登録内容と、その時点で番組を放送している各物理チャンネルの構成と、が一時的に一致していない状態になることもある。受信装置１は、全チャンネルテーブル９ａにおける登録内容と異なるチャンネル構成の物理チャンネルを検出したとき、全チャンネルテーブル９ａにおけるこの物理チャンネルの登録内容を更新する。
【００３０】
受信装置１は、所定のタイミング、例えば装置本体の電源オフ時、に番組を放送している物理チャンネル毎にチャンネル構成（仮想チャンネル、およびサブチャンネル）を検出し、全チャンネルテーブル９ａの登録内容を更新する処理や、受信する物理チャンネルを切り換えたときに、この切り換えた物理チャンネルについてチャンネル構成を検出し、全チャンネルテーブル９ａの該当するチャンネルの登録内容を更新する処理を行う。
【００３１】
図３は、お気に入りチャンネルテーブルを示す図である。このお気に入りチャンネルテーブル９ｂは、チャンネルを選局する単位で登録するテーブルである。図３に示すように物理チャンネルに対して、１つの仮想チャンネル、および１つのサブチャンネルを対応づけている。選局は、仮想チャンネルおよびサブチャンネルで行われる。また、サブチャンネルが与えられていない仮想チャンネルについては、サブチャンネルが登録されていない。ユーザは、装置本体に対して所定の入力操作を行うことで、お気に入りチャンネルテーブル９ｂに対するチャンネルの新規登録や削除が行える。さらに、お気に入りチャンネルテーブル９ｂは、登録されているチャンネル毎に、そのチャンネルが装置側で変更されたチャンネルであるかを示す変更フラグを対応付けて記憶している。変更フラグがオンされているチャンネルは装置側で変更されたチャンネルであり、変更フラグがオフされているチャンネルはユーザが登録したチャンネルである。
【００３２】
以下、この発明の実施形態である受信装置１の動作について説明する。図４は、この発明の実施形態である受信装置の動作を示すフローチャートである。受信装置１は、装置本体の電源がオンされると、図４に示す処理を開始し、装置本体の電源がオフされるとこの処理を終了する。受信装置１は、装置本体の電源がオンされると、まずお気に入りチャンネルテーブル９ｂに登録されているチャンネル毎に番組の放送が行われているかどうかを検知し、番組の放送が行われていないチャンネルがあれば、そのチャンネルを、番組の放送が行われているチャンネルに変更する変更処理を行う（ｓ１）。
【００３３】
図５は、この検知処理を示すフローチャートである。受信装置１は、番組が放送されているかどうかを検知するチャンネルを、お気に入りチャンネルテーブル９ｂから抽出する（ｓ１１）。受信装置１は、ｓ１１で抽出したチャンネルに対応する物理チャンネルを受信部３で受信し、この物理チャンネルの受信信号を処理して、今回お気に入りチャンネルテーブル９ｂから抽出したチャンネルで番組が放送されているかどうかを判定する（ｓ１２）。受信装置１は、ｓ１２で番組が放送されていると判定すると、お気に入りチャンネルテーブル９ｂに登録されているチャンネルの中に、今回番組が放送されているかどうかを検知していないチャンネル（未処理のチャンネル）があるかどうかを判定し（ｓ１３）、未処理のチャンネルがあれば、ｓ１１に戻って上記処理を繰り返す。
【００３４】
一方、受信装置１は、ｓ１２で番組が放送されていないと判定すると、今回番組が放送されていないことが検知されたチャンネルと、同じ仮想チャンネルで番組を放送しているサブチャンネルがあるかどうかを判定する（ｓ１４）。受信装置１は、ｓ１４で同じ仮想チャンネルで番組が放送されているサブチャンネルがあると判定すると、これらのサブチャンネルの中に、お気に入りチャンネルテーブル９ｂに登録されていないチャンネルがあるかどうかを判定する（ｓ１５）。受信装置１は、ｓ１５で同じ仮想チャンネル内にお気に入りチャンネルテーブル９ｂに登録されていないサブチャンネルがあると判定すると、お気に入りチャンネルテーブル９ｂに登録されていないサブチャンネルの中で、最小のサブチャンネルに変更する（ｓ１６）。ｓ１６で変更されるチャンネルは、上述の説明からも明らかなように、登録されていたチャンネルと、物理チャンネル、および仮想チャンネルが同じチャンネルであり、サブチャンネルが異なるチャンネルである。
【００３５】
なお、ｓ１６では、変更するチャンネルを最小のサブチャンネルとするとしがた、最大のサブチャンネルにする等、他の方法で決めてもよい。
【００３６】
また、受信装置１は、ｓ１４で同じ仮想チャンネルで番組を放送しているサブチャンネルがないと判定した場合、またはｓ１５でお気に入りチャンネルテーブル９ｂに登録されていないサブチャンネルがないと判定した場合、今回番組が放送されていないことが検知されたチャンネルと、同じ物理チャンネルで番組を放送している仮想チャンネルがあるかどうかを判定する（ｓ１７）。受信装置１は、ｓ１７で同じ物理チャンネルで番組が放送されている仮想チャンネルがあると判定すると、これらの仮想チャンネルの中に、お気に入りチャンネルテーブル９ｂに登録されていないチャンネルがあるかどうかを判定する（ｓ１８）。受信装置１は、ｓ１８で同じ物理チャンネル内に、お気に入りチャンネルテーブル９ｂに登録されていないチャンネルがあると判定すると、お気に入りチャンネルテーブル９ｂに登録されていないチャンネルが含まれている仮想チャンネルの中で、最小の仮想チャンネルであって、この仮想チャンネル内でお気に入りチャンネルテーブル９ｂに登録されていない最小のサブチャンネルに変更する（ｓ１９）。ｓ１９で変更されるチャンネルは、上述の説明からも明らかなように、登録されていたチャンネルと、仮想チャンネルについては異なっているが、物理チャンネルについては同じである。
【００３７】
なお、ｓ１９では、変更するチャンネルを最小の仮想チャンネルとし、その中で最小のサブチャンネルとするとしがた、最大の仮想チャンネルや最大のサブチャンネルにする等、他の方法で決めてもよい。
【００３８】
さらに、受信装置１は、ｓ１７で同じ物理チャンネルで番組を放送している仮想チャンネルがないと判定した場合、またはｓ１８で同じ物理チャンネル内に、お気に入りチャンネルテーブル９ｂに登録されていないチャンネルがないと判定された場合、お気に入りチャンネルテーブル９ｂに登録されていないチャンネルで番組が放送されており、且つ今回番組が放送されていないことが検知されたチャンネルの物理チャンネルとの差分が最小である物理チャンネルであって、この物理チャンネルの中でお気に入りチャンネルテーブル９ｂに登録されていないチャンネルが含まれている最小の仮想チャンネルで、さらに、この仮想チャンネルの中でお気に入りチャンネルテーブル９ｂに登録されていない最小のサブチャンネルに変更する（ｓ２０）。
【００３９】
また、受信装置１は、ｓ１６、ｓ１９、またはｓ２０にかかる処理を行ったとき、変更したチャンネルに対応付けられている変更フラグをオンする。受信装置１は、ｓ１６、ｓ１９、またはｓ２０にかかる処理を完了すると、ｓ１３にかかる処理を実行する。受信装置１は、ｓ１３で未処理のチャンネルがないと判定すると、本処理を終了する。
【００４０】
なお、受信装置１は、ユーザの操作により、お気に入りチャンネルテーブル９ｂにチャンネルが登録されたときや、登録されているチャンネルが変更／更新されたとき、このチャンネルに対応づけられている変更フラグをオフにする。
【００４１】
受信装置１は、ｓ１にかかる処理を完了すると、選局されているチャンネル（電源オン時は、前回の電源オフ時に選局されていたチャンネル）で放送されている番組の受信を開始する（ｓ２）。ここで言う選局されているチャンネルとは、仮想チャンネル、または仮想チャンネル＋サブチャンネルにより選局されているチャンネルである。ｓ２では、受信部３が、選局されているチャンネルに対応する物理チャンネルのディジタル放送信号の受信を開始する。受信部３は、受信している物理チャンネルのストリームを出力する。デコード部４が、受信部３から出力されたストリームから、選局されているチャンネルで放送されている番組の映像データ、および音声データを抽出し、デコードする処理を開始する。画像合成部６は、ＯＳＤ画像生成部５で生成されたＯＳＤ画像を、デコード部４でデコードされた映像データの映像に重ね合わせた合成画像の映像データを生成する処理を開始する。画像合成部６は、ＯＳＤ画像生成部５でＯＳＤ画像が生成されていない場合、デコード部４でデコードされた映像データを出力する。出力部７は、画像合成部６から出力され映像データに基づく映像信号を出力するとともに、デコード部４でデコードされた音声データに基づく音声信号を出力する処理を開始する。これにより、表示装置１１において選局されているチャンネルで放送されている番組の映像が表示され、スピーカ１２からこの番組の音声が出力される。
【００４２】
なお、選局されているチャンネルで番組が放送されていない場合、表示装置１２に番組の放送が行われていないことを通知するＯＳＤ画像を表示するようにしてもよいし、番組が放送されている適当なチャンネルを自動的に選局して、ｓ２にかかる処理を行うようにしてもよい。
【００４３】
受信装置１は、ｓ２で選局されているチャンネルの受信を開始すると、装置本体に対する入力があるか（ｓ３）、お気に入りチャンネルテーブル９ｂの更新タイミングであるかどうか（ｓ４）、を判定する。ｓ４では、例えば、前回のお気に入りチャンネルテーブル９ｂの更新から一定時間、例えば１時間、経過したかどうかを判定する。この場合、受信装置１は、お気に入りチャンネルテーブル９ｂを最後に更新した時刻を制御部２に設けられているメモリ（不図示）に記憶しているとともに、現在時刻を計時するタイマ（不図示）を備えている。受信装置１は、このタイマが計時している時刻と、記憶しているお気に入りチャンネルテーブル９ｂを最後に更新した時刻との差が一定時間を超えているときに、前回のお気に入りチャンネルテーブル９ｂの更新から一定時間経過したと判定する。受信装置１はｓ４でお気に入りチャンネルテーブル９ｂの更新タイミングであると判定すると、ｓ１に戻り、上述した変更処理を実行する。
【００４４】
このように、受信装置１は、お気に入りチャンネル９ｂに登録されている各チャンネルに対して、定期的に番組の放送が行われているかどうかを検知し、番組の放送が行われていないチャンネルが登録されていれば、このチャンネルを番組の放送が行われているチャンネルに変更する。
【００４５】
また、一般に正時等のきりのよい時間に番組の放送が開始されることから、ｓ４の判定を正時になったかどうかを判定する処理に置き換えてもよい。さらに、ｓ１にかかる変更処理を行うと、一時的に、その時点で選局されているチャンネルの受信を停止させることになるので、例えばお気に入りチャンネルテーブル９ｂに登録されているチャンネルを、２つのグループに分割し、一方のグループのチャンネルに対する上記変更処理と、他方のグループのチャンネルに対する上記変更処理と、を交互に行うようにしてもよい。このようにすれば、選局されているチャンネルの受信が停止する時間（連続して停止する時間）を抑えることができ、その時点で選局されているチャンネルで放送されている番組を視聴しているユーザに与える違和感を抑えることができる。
【００４６】
ユーザは、操作部８に設けられている操作キー、または図示していないリモコン装置を操作して、受信装置１に対して所望の入力操作を行う。受信装置１は、装置本体に対する入力があると、今回の入力がお気に入りチャンネルテーブル９ｂを利用したチャンネル切換の要求であるか、お気に入りチャンネルテーブル９ｂへのチャンネルの登録／削除処理の要求であるかを判定する（ｓ５、ｓ６）。受信装置１は、ｓ５でお気に入りチャンネルテーブル９ｂを利用したチャンネル切換の要求であると判定すると、図６に示すお気に入りチャンネルテーブル９ｂを利用したチャンネル切換処理を行う（ｓ７）。
【００４７】
受信装置１における、お気に入りチャンネルテーブル９ｂを利用したチャンネル切換処理について説明する。受信装置１は、ＯＳＤ画像生成部５でお気に入りチャンネルテーブル９ｂに登録されているチャンネルの中から、切り換えるチャンネルを選局する操作を援助するＯＳＤ画像を生成する（ｓ２１）。ｓ２１では、ＯＳＤ画像生成部５が、お気に入りチャンネルテーブル９ｂにおいて変更フラグがオンされているチャンネルと、変更フラグがオフされているチャンネルと、を区別したＯＳＤ画像を作成する。受信装置１は、ＯＳＤ画像生成部５がｓ２１で生成したＯＳＤ画像を、現在選局されているチャンネル（切り換えられる前のチャンネル）で放送されている番組の映像に重ね合わせた合成画像の映像信号を出力部７から出力する。この映像信号が入力されている表示装置１１では、例えば図７に示す映像が表示される。図７では、現在選局されているチャンネルで放送されている番組の映像を図示していない。図７において、画面上方に独立的に表示されているチャンネルが、現在選局されているチャンネルである。また、この現在選局されているチャンネルの下側に区切って表示されている複数のチャンネルが、お気に入りチャンネルテーブル９ｂに登録されているチャンネルであり、ハッチングを施しているチャンネルが変更フラグがオンしているチャンネルである。さらに、枠が付いているチャンネルがこの時点で切り換える候補として選択されているチャンネル（以下、候補チャンネルと言う。）である。
【００４８】
したがって、ユーザは、お気に入りチャンネルテーブル９ｂを利用したチャンネル切換要求にかかる入力操作を行うことで、その時点でお気に入りチャンネルテーブル９ｂに登録されているチャンネルを確認することができる。また、お気に入りチャンネルテーブル９ｂに登録されているチャンネルであって、上述の変更処理で受信装置１側で変更されたチャンネルについては、表示装置１１において、ユーザの操作により登録されたチャンネルと異なる表示形態で表示されるようにしているので、ユーザが受信装置１側で変更されたチャンネルについても簡単に確認することができる。
【００４９】
受信装置１は、候補チャンネルの変更、または選択決定の入力を待つ（ｓ２２、ｓ２３）。ユーザは、操作部８、またはリモコン装置のカーソルキーを操作して、候補チャンネルの変更にかかる入力を行う。受信装置１は、候補チャンネルの変更にかかる入力があると、変更された候補チャンネルを判定する（ｓ２４）。ｓ２４では、具体的には、ユーザが操作したキーが右カーソルキーであれば、ｓ２１で生成したＯＳＤ画像において、現在選択されている候補チャンネルの右隣に表示されているチャンネルを候補チャンネルに決定する。また、受信装置１は、決定した候補チャンネルに応じて枠の位置を変化させたＯＳＤ画像をＯＳＤ画像生成部５で生成する。したがって、ユーザは、候補チャンネルの切り換わりを、表示装置１１の画面で確認することができる。
【００５０】
なお、右端のチャンネルの次に更新される候補チャンネルは、ＯＳＤ画像において、１つ下の欄で左端に表示されているチャンネルである。また、右端で且つ最下欄のチャンネルの次に更新される候補チャンネルは、ＯＳＤ画像において、最上欄で左端に表示されているチャンネルである。また、左カーソルキー、上カーソルキー、下カーソルキーが操作されたときには、その時点での候補チャンネルに対して、更新する候補チャンネルの移動方向（ＯＳＤ画像における移動方向）が異なるだけであり、ここでは説明を省略する。
【００５１】
また、受信装置１は、ｓ２３で選択決定の入力があったと判定すると、その時点で仮決定されている候補チャンネルを、選局するチャンネルに決定し（ｓ２５）、このチャンネルに対応付けられている変更フラグがオンであるか、オフであるかを判定する（ｓ２６）。受信装置１は、変更フラグがオンであると判定すると、ＯＳＤ画像生成部５で、受信装置１側で変更したチャンネルであることを通知するＯＳＤ画像（変更通知画像）を生成するとともに（ｓ２７）、ｓ２５で決定したチャンネルの受信を開始する（ｓ２８）。したがって、お気に入りチャンネルテーブル９ｂに登録されているチャンネルであって、受信装置１側で変更されたチャンネルが選局されたときには、今回選局されたチャンネルが受信装置１側で変更されたチャンネルであることを通知するメッセージが表示装置１１で表示される（図８参照）。したがって、ユーザは、受信装置１側で変更されたチャンネルを選局したときにも、今回選局したチャンネルが受信装置１側で変更されたチャンネルであることを確認でき、選局したチャンネルで放送されている番組が自分の好みでない番組であっても、混乱することがない。すなわち、ユーザが、なぜ自分の好みでない番組を放送しているチャンネルがお気に入りチャンネルテーブル９ｂに登録されているのか分からず、混乱するのを防止できる。
【００５２】
受信装置１は、ｓ２７で変更通知画像の生成を開始してから一定時間、例えば５秒、経過すると（ｓ２９）、この変更通知画像の生成を停止し（ｓ３０）、ｓ３に戻る。
【００５３】
また、受信装置１は、ｓ６でお気に入りチャンネルテーブル９ｂに対するチャンネルの登録／削除の要求であると判定すると、図９に示す登録／削除処理を実行する（ｓ８）。受信装置１は、ＯＳＤ画像生成部５で、お気に入りチャンネルテーブル９ｂに対するチャンネルの登録／削除を援助するＯＳＤ画像を生成する（ｓ３１）。ｓ３１で生成されるＯＳＤ画像は、図７に示したＯＳＤ画像と略同じ画像である。ｓ３１では、ｓ２１と同様に、この時点で変更フラグがオンされているチャンネルと、変更フラグがオフされているチャンネルと、を区別したＯＳＤ画像を作成する。受信装置１は、ＯＳＤ画像生成部５がｓ３１で生成したＯＳＤ画像を、現在選局されているチャンネルで放送されている番組の映像に重ね合わせた画像の映像信号を出力部７から出力する。表示装置１２では、例えば図１０に示す映像が表示される。図１０では、現在選局されているチャンネルで放送されている番組の映像を図示していない。また、図１０においてハッチングで示すチャンネルが変更フラグがオンされているチャンネルである。したがって、ユーザはこの画像を見ることで、お気に入りチャンネルテーブル９ｂに登録されているチャンネルで、受信装置１側で変更されたチャンネルがどのチャンネルであるかを簡単に確認することができる。
【００５４】
受信装置１は、ここで登録、削除、変更にかかる入力を待つ（ｓ３２〜ｓ３４）。受信装置１は、本体に対する入力が登録であれば、この時点で選局されているチャンネルが、お気に入りテーブル９ｂにすでに登録されているかどうかを判定し（ｓ３５）、未登録であれば、現在選択されているチャンネルをお気に入りチャンネルテーブル９ｂに新規に登録する（ｓ３６）。また、受信装置１は、本体に対する入力が削除であれば、削除するチャンネルの指定を受け付け（ｓ３７）、ここで指定されたチャンネルをお気に入りチャンネルテーブル９ｂから削除する（ｓ３８）。ユーザは、上述したお気に入りチャンネルテーブル９ｂを利用したチャンネル切換処理におけるチャンネルの登録と同様に、カーソルキーを操作して、削除するチャンネルを選択する。但し、受信装置１は、変更フラグの状態に関係なく、削除するチャンネルの選択を受け付ける。すなわち、変更フラグがオンしているか、またはオフしているかにかかわらず、お気に入りチャンネルテーブル９ｂから削除するチャンネルとして選択することができる。
【００５５】
さらに、受信装置１は、本体に対する入力が変更であると、変更するチャンネル（お気に入りテーブル９ｂに登録されているチャンネル）の指定を受け付け（ｓ３９）、ここで指定されたチャンネルを、この時点で選局されているチャンネルに更新する（ｓ４０）。この場合も、ユーザは、上述したお気に入りチャンネルテーブル９ｂを利用したチャンネル切換処理におけるチャンネルの登録と同様に、カーソルキーを操作して、変更するチャンネルを選択する。
【００５６】
このように、この実施形態の受信装置１は、図９に示す登録／削除処理を行うことで３任意のチャンネルをお気に入りチャンネルテーブル９ｂに登録したり、登録されている不要なチャンネルを削除することができる。
【００５７】
また、受信装置１は、装置本体に対する入力が、上述した、お気に入りチャンネルテーブル９ｂを利用したチャンネルの切り換え処理、または登録／削除処理以外の処理であると判定すると、その入力に対する処理（その他の処理）を実行する（ｓ９）。ｓ９では、例えば全チャンネルテーブル９ａを利用したチャンネルの切り換え処理や、受信可能な物理チャンネル毎に番組が放送されているチャンネルを検出する全チャネルサーチ等の処理が行われる。全チャンネルテーブル９ａを利用したチャンネルの切り換えでは、お気に入りチャンネルテーブル９ｂに登録されていないチャンネルの選局が行える。また、全チャネルサーチでは、全チャンネルテーブル９ａの更新が行われる。
【００５８】
このように、この実施形態の受信装置１は、お気に入りチャンネルテーブル９ｂに登録されているチャンネルで番組が放送されていないことが検知されたとき、このチャンネルを、番組の放送が行われているチャンネルに変更するので、番組が放送されていないチャンネルが選局されるのを防止できる。また、お気に入りチャンネルテーブル９ｂにおいて、番組の放送停止が一時的なものであった場合、ユーザは変更前のチャンネルを再度チャンネルテーブルに登録するときに、その操作を最初から行わなくてもよい。すなわち、ユーザは、チャンネルテーブルに登録されているチャンネル（受信装置１側で変更されたチャンネル）を、変更前のチャンネルに更新する操作を行えばよい。したがって、操作性の向上が図れる。
【図面の簡単な説明】
【００５９】
【図１】この発明の実施形態である受信装置の主要部の構成を示すブロック図である。
【図２】この発明の実施形態である受信装置の全チャンネルテーブルを示す図である。
【図３】この発明の実施形態である受信装置のお気に入りチャンネルテーブルを示す図である。
【図４】この発明の実施形態である受信装置の動作を示すフローチャートである。
【図５】この発明の実施形態である受信装置における検知処理を示すフローチャートである。
【図６】この発明の実施形態である受信装置におけるチャンネル切換処理を示すフローチャートである。
【図７】この発明の実施形態である受信装置におけるチャンネル切換処理時に生成されるＯＳＤ画像を示す図である。
【図８】この発明の実施形態である受信装置におけるチャンネル切換処理時に生成されるＯＳＤ画像を示す図である。
【図９】この発明の実施形態である受信装置における登録／削除処理を示すフローチャートである。
【図１０】この発明の実施形態である受信装置における登録／削除処理時に生成されるＯＳＤ画像を示す図である。
【符号の説明】
【００６０】
１−受信装置
２−制御部
３−受信部
４−デコード部
５−ＯＳＤ画像生成部
６−画像合成部
７出力部
８−操作部
９−記憶部
９ａ−全チャンネルテーブル
９ｂ−お気に入りチャンネルテーブル
【図１】
2006352776.tif 000003
【図２】
2006352776.tif 000004
【図３】
2006352776.tif 000005
【図４】
2006352776.tif 000006
【図５】
2006352776.tif 000007
【図６】
2006352776.tif 000008
【図７】
2006352776.tif 000009
【図８】
2006352776.tif 000010
【図９】
2006352776.tif 000011
【図１０】
2006352776.tif 000012